(57)【要約】【課題】天板に装着されて天板の前端より奥まって位置するコックを、天板の前端直下から簡単且つ安全に操作できるようにできるガス機器のコック延長装置に関するものである。【解決手段】器具本体２の操作コック1が天板５の端面３より奥まって位置するガス器具において、天板５の下面に取着された保持板６の両側にガイドレール７を形成し、調節体８の上面両側に張り出された係止片９を上記ガイドレール７に前後及び左右位置調節可能に係合し、延長コック１１が保持された延長ボックス１０を当該調節体８に上下位置調節可能に接合し、延長コック１１の連結子１２を本体２の操作コック１に接合するようにした。【効果】上記のようにしたことにより、所期の目的を達成すると共に、その取付作業を簡単且つ正確に行えるようにした。【選択図】図１
2005192742.tif 000002
【特許請求の範囲】
【請求項１】
器具本体２の操作コック1が天板５の端面３より奥まって位置するガス器具において、天板５の下面に取着された保持板６の両側にガイドレール７を形成し、調節体８の上面両側に張り出された係止片９を上記ガイドレール７に前後及び左右位置調節可能に係合し、延長コック１１が保持された延長ボックス１０を当該調節体８に上下位置調節可能に接合し、延長コック１１の連結子１２を本体２の操作コック１に接合するようにして成ることを特徴とするガス機器のコック延長装置。
【請求項２】
延長コック１１が延長ボックス１０に対して前後移動自在に保持させると共に、バネ１３により連結子１２が操作コック１より離れる方向に付勢したことを特徴とする請求項１に記載のガス機器のコック延長装置。
【発明の詳細な説明】
【技術分野】
【０００１】
本発明は、ガス機器のコック延長装置に関するものである。
【背景技術】
【０００２】
例えばテーフ゛ルの天板を刳り貫いてその穴にガス器具を装着した場合、そのガス器具の操作コックが天板の端面より奥まって位置することになり、そのままでは器具の操作の度に天板の下の奥深くに手を差し入れて操作することになるが、その操作が面倒である。そこで延長コックを着けようということになるが、器具本体を天板に装着してから現場に合わせて取り付けることになる。しかしながら、そのようなガス器具は一般に種々の厚さ、奥行きの天板に装着されることが多く、予め正確な位置に取り付けておくことが困難で、現場での作業になるが、前後、左右、上下を正確に位置決めしなければならず、作業が困難であった。
【発明の開示】
【発明が解決しようとする課題】
【０００３】
本発明は、前述の状況に鑑みて完成されたもので、天板のサイズが種々に変わっても現場で簡単に対応して正確な位置に延長コックを設置できるガス機器のコック延長装置を提供しようとするものである。
【課題を解決するための手段】
【０００４】
本発明の主たる特徴は、器具本体２の操作コック1が天板５の端面３より奥まって位置するガス器具において、天板５の下面に取着された保持板６の両側にガイドレール７を形成し、調節体８の上面両側に張り出された係止片９を上記ガイドレール７に前後及び左右位置調節可能に係合し、延長コック１１が保持された延長ボックス１０を当該調節体８に上下位置調節可能に接合し、延長コック１１の連結子１２を本体２の操作コック１に接合するようにしたことである。
【発明の効果】
【０００５】
本発明は、上述のように調節体８の上面両側に張り出された係止片９を保持板６のガイドレール７に前後及び左右位置調節可能に係合してあるから、まず保持板６を天板５の大雑把な位置に取付け、そのガイドレール７に調節体８の係止片９を係止させて前後と左右の位置決めが出来、然る後に延長ボックス１０を上下に位置決めできるものであるから、前後、左右、上下をそれぞれ独立して簡単且つ正確に位置決めができる。しかも、最初に保持板６を大雑把ながら天板５に取り付けてしまえるから、そのガイドレール７に調節体８及び延長ボックス１０の重量を支えて以後の位置決め作業が行えることになり、天板５裏での手狭まな場所でのやり難い作業も、容易に行え、奥まった位置の器具本体２のコック１を迅速に操作がやり易い位置から延長コック１１で操作ができるように改造できるものである。
【０００６】
尚、最終的に位置決め後、調節体８を天板５の下面に固定できるようにした場合は、保持板６を除去するようにしても良い。
【発明を実施するための最良の形態】
【０００７】
以下本発明を添付図面に基づき詳細に説明する。図１は本発明の構成部材を分解した状態を示すもので、天板５の下面に取り付けられる保持板６と、延長コック１１が装着された延長ボックス１０と、その間に介在させる調節体８から構成される。
【０００８】
保持板６は、天板５の適所にビス１４で取り付けられる。１５は取付孔、１６はワッシャである。保持板６の下面両側にはガイドレール７が設けられる。
【０００９】
調節体８は上部両側に係止片９が張り出されると共に、係止片９より若干内寄り部分から取付片１７が垂下される。係止片９は、上記ガイドレール７に前後に移動自在でかつ、両係止片９、９の外縁間の距離が、両ガイドレール７、７の左右の底間の距離よりも幾分小さく設定されていて、左右に位置調整自在になっている。１８は取付片１７に施された縦長の長孔で、ビス１９、ナット２０及びワッシャ２１により、下記の延長ボックス１０を取付片１７に装着するものである。調節体８は取付孔２２にビス２３をねじ込むことにより、天板５に固定できる。２４はワッシャである。
【００１０】
延長ボックス１０の前板２５と後板２６には延長軸２７が貫通してあり、前端には延長コック１１が、後端には連結子１２が装着されており、延長軸２７にはバネ１３により延長コック１１を前方に押し戻すように付勢されている。２８はバネ１３のストッパである。また側板２９には取付孔３０が設けられ、前記ボルト２０とナット２１により長孔１８を介して延長ボックス１０を取付片１７に対し上下に位置を調節した後、固定する。
【００１１】
しかして保持板６を天板５の下面にビス１５等で取り付けた状態では、図２のようにガイドレール７は左右に余裕があって、左右の位置決めを行いながら、また図３のように連結子１２がコック１を掴むように延長ボックス１０及び調節体８を前後に位置決めを行う。次いで長孔18を利用して延長ボックス１０上下に位置合わせしてボルト２０とナット２１を締め付ける。
【００１２】
また、一般にガス器具などの器具本体２において、コック１の着火は、コック１を押し込んで行い、着火後はコック１が復帰するので、バネ１３により延長軸２７がスムーズに復帰するようにしてある。３１は延長ボックス１０の延長軸２７のための軸受けである。
【産業上の利用可能性】
【００１３】
図３において、器具本体２はお好み焼き等に使用する鉄板ユニットであるが、を天板５に穿たれた穴に嵌めこんだままでは、天板５の前端３よりコック1の位置が奥まっているため、操作しにくい上に、熱源に近いため火傷の危険性がある。しかしながら本発明の装置を用いると、天板５の前端３直下に位置する延長コック１１により、奥に深く手を差し入れなくても簡単に器具本体２の点火や消火、火力の調節等を簡単且つ安全に行える利点がある。しかも、その延長コックをセットするに際し、保持板６のガイドレール７に調節体８の支持片９を左右、前後に位置調節が行え、且つ調節体８に延長ボックス１０を上下位置調節が行えるようにしたものであって、そのため狭い場所での細かい位置調節が要求される作業を、部品全体の重量を保持板６で支えながら行えて、容易にその調節作業を行えるものであり、現場での作業性が向上し、取付精度も向上するものである。
【図面の簡単な説明】
【００１４】
【図１】本発明の一実施例の要部分解斜視図。
【図２】同上を器具本体に取り付けた状態の一分破断正面図。
【図３】同上の一部破談側面図。
【符号の説明】
【００１５】
１  コック 
２  器具本体
３  前端
５  天板 
６  保持板
７  ガイドレール
８  調節体
９  支持片
１０  延長ボックス
１１  延長コック
１２  連結子
１３  バネ
【図１】
2005192742.tif 000003
【図２】
2005192742.tif 000004
【図３】
2005192742.tif 000005